(57)【特許請求の範囲】
【請求項１】
フォーカスレンズを含む撮影光学系を通過した被写体からの光を結像して撮影画像を取得する撮影手段と、
前記被写体の光学像を観察可能な光学ファインダと、
操作部の操作に基づいて前記フォーカスレンズを移動させるマニュアルフォーカスモードに設定する設定手段と、
前記撮影画像のエッジを強調又は抽出した画像であるコントラスト画像を生成する画像生成手段と、
前記マニュアルフォーカスモードに設定された場合に、前記コントラスト画像を表示する表示手段と、
前記表示手段に表示された画像を、前記光学ファインダにおける被写体の光学像に重畳する画像重畳手段と、
を備える撮影装置。
【請求項２】
前記撮影画像内の複数のエリアの各々について前記撮影画像の高周波成分の積算値を示すコントラスト評価値を算出するコントラスト評価値算出手段を更に備え、
前記画像生成手段は、前記算出されたコントラスト評価値に応じて前記コントラスト画像のエッジ部の色及びエッジ部における線の太さの少なくとも１つを変更する、請求項１に記載の撮影装置。
【請求項３】
フォーカスレンズを含む撮影光学系を通過した被写体からの光を結像して撮影画像を取得する撮影手段と、
前記被写体の光学像を観察可能な光学ファインダと、
操作部の操作に基づいて前記フォーカスレンズを移動させるマニュアルフォーカスモードに設定する設定手段と、
前記撮影画像内の複数のエリアの各々について前記撮影画像の高周波成分の積算値を示すコントラスト評価値を算出するコントラスト評価値算出手段と、
前記複数のエリアの各々において、前記コントラスト評価値の大きさを表した画像であるコントラスト画像を生成する画像生成手段と、
前記マニュアルフォーカスモードに設定された場合に、前記コントラスト画像を表示する表示手段と、
前記表示手段に表示された画像を、前記光学ファインダにおける被写体の光学像に重畳する画像重畳手段と、
を備える撮影装置。
【請求項４】
前記光学ファインダは、前記マニュアルフォーカスモードに設定された場合に、前記光学像の透過率を低下させる透過率変更手段を更に備える請求項１から３のいずれかに記載の撮影装置。
【請求項５】
前記マニュアルフォーカスモードに設定された場合に、前記フォーカスレンズが移動されているか否かを判断する判断手段を更に備え、
前記表示手段は、前記フォーカスレンズが移動されている間のみ、又は前記フォーカスレンズが移動されている間及び前記フォーカスレンズ停止後一定時間が経過するまでの間、前記コントラスト画像を表示する、請求項１から３のいずれかに記載の撮影装置。
【請求項６】
前記撮影光学系と前記光学ファインダの光学系とが別々に設けられた撮影装置であって、
前記フォーカスレンズの位置に基づいて前記光学像と前記コントラスト画像とのズレ量を取得する位置ズレ量取得手段と、
前記取得された位置ズレ量に基づき前記コントラスト画像の位置を補正して前記コントラスト画像を表示する電子ビューファインダと、
を更に備える請求項１から５のいずれかに記載の撮影装置。
【請求項７】
前記撮影画像内に領域を設定する領域設定手段を更に備え、
前記画像生成手段は、前記領域設定手段により設定された領域内の画像を対象にして前記コントラスト画像を生成する、請求項１から６のいずれかに記載の撮影装置。
【請求項８】
前記領域の位置及び大きさの少なくとも１つを変更する領域変更手段を更に備える請求項７に記載の撮影装置。
【請求項９】
前記フォーカスレンズの位置に基づいて前記領域の大きさの変更量を決定する大きさ決定手段を更に備え、
前記領域変更手段は、前記変更量に基づいて前記領域の大きさを変更する、請求項８に記載の撮影装置。
【請求項１０】
フォーカスレンズを含む撮影光学系を通過した被写体からの光を結像して撮影画像を取得するステップと、
操作部の操作に基づいて前記フォーカスレンズを移動させるマニュアルフォーカスモードに設定するステップと、
前記撮影画像のエッジを強調又は抽出した画像であるコントラスト画像を生成するステップと、
前記マニュアルフォーカスモードに設定された場合に、前記コントラスト画像を光学ファインダにおける前記被写体の光学像に表示内容が重畳される表示手段に表示するステップと、
を備える撮影方法。
【請求項１１】
フォーカスレンズを含む撮影光学系を通過した被写体からの光を結像して撮影画像を取得するステップと、
操作部の操作に基づいて前記フォーカスレンズを移動させるマニュアルフォーカスモードに設定するステップと、
前記撮影画像内の複数のエリアの各々について前記撮影画像の高周波成分の積算値を示すコントラスト評価値を算出するステップと、
前記撮影画像の複数のエリアの各々において、前記コントラスト評価値の大きさを表した画像であるコントラスト画像を生成するステップと、
前記マニュアルフォーカスモードに設定された場合に、前記コントラスト画像を光学ファインダにおける前記被写体の光学像に表示内容が重畳される表示手段に表示するステップと、
を備える撮影方法。
【請求項１２】
フォーカスレンズを含む撮影光学系を通過した被写体からの光を結像して撮影画像を取得するステップと、
操作部の操作に基づいて前記フォーカスレンズを移動させるマニュアルフォーカスモードに設定するステップと、
前記撮影画像のエッジを強調又は抽出した画像であるコントラスト画像を生成するステップと、
前記マニュアルフォーカスモードに設定された場合に、前記コントラスト画像を光学ファインダにおける前記被写体の光学像に表示内容が重畳される表示手段に表示するステップと、
を演算装置に実行させるプログラム。
【請求項１３】
フォーカスレンズを含む撮影光学系を通過した被写体からの光を結像して撮影画像を取得するステップと、
操作部の操作に基づいて前記フォーカスレンズを移動させるマニュアルフォーカスモードに設定するステップと、
前記撮影画像内の複数のエリアの各々について前記撮影画像の高周波成分の積算値を示すコントラスト評価値を算出するステップと、
前記撮影画像の複数のエリアの各々において、前記コントラスト評価値の大きさを表した画像であるコントラスト画像を生成するステップと、
前記マニュアルフォーカスモードに設定された場合に、前記コントラスト画像を光学ファインダにおける前記被写体の光学像に表示内容が重畳される表示手段に表示するステップと、
を演算装置に実行させるプログラム。
【発明の詳細な説明】
【技術分野】
【０００１】
本発明は撮影装置、撮影方法、記録媒体およびプログラムに係り、撮影光学系とは別にファインダ光学系を有する撮影装置、撮影方法、記録媒体およびプログラムに関する。
【背景技術】
【０００２】
特許文献１には、被写体像から抽出されたエッジ情報に基づいてエッジ成分画像を生成し、液晶モニタ等に表示された元の被写体像にエッジ成分画像を合成するマニュアルフォーカス機能を備えたハイビジョンデジタルビデオカメラが開示されている。【０００３】
特許文献２には、マニュアルフォーカス時に、光学ファインダに重畳表示される液晶モニタに被写体までの距離に関する情報（例えば、フォーカスモータの駆動パルス値、所定の演算処理により算出される距離表示等を数値化したもの、合焦評価値等）を示すインジケータが表示されることが開示されている。【０００４】
特許文献３には、光学ファインダー（ＯＶＦ）と電子ビューファインダー（ＥＶＦ）とを重畳表示が可能なレンズ交換式のデジタルカメラが開示されている。特許文献３に記載の発明においては、顔認識した部分に対して測距を行い、ＥＶＦの顔認識した部分に対応する位置にフォーカスポイントの表示を行う。
【先行技術文献】
【特許文献】
【０００５】
【特許文献１】特開２０１１−１３５３５１号公報
【特許文献２】特開２００１−４２２０７号公報
【特許文献３】特開２０１０−１３５８９４号公報
【発明の概要】
【発明が解決しようとする課題】
【０００６】
しかしながら、特許文献１に記載の発明は、電子ビューファインダを用いて表示を行うものであり、光学ファインダを用いるものではない。電子ビューファインダでは、撮影から表示までにタイムラグがある上、電子像より光学像の方がクリアである。このため、電子ビューファインダよりも光学ファインダを使用したいというニーズがある。【０００７】
特許文献２に記載の発明において、フォーカスモータの駆動パルス値が表示された場合には、被写体までの距離が分からず、ピントを上手く合わせることができないという問題がある。また、距離表示が表示されたとしても、被写界深度が浅い場合にはピントを合わせることが難しいという問題がある。また、インジケータが表示されたとしても、表示された合焦評価値が撮影画像のどの位置の評価値なのか判断することができず、どの位置にピントが合っているのか判断できないという問題がある。【０００８】
特許文献３に記載の発明は、一眼タイプのカメラであるため、光学ファインダを覗きながらマニュアルフォーカス（ＭＦ）でピントを合わせる操作が可能である。しかしながら、一眼タイプでない（撮影光学系とファインダ光学系が別に配設された）カメラでは、光学ファインダのみでＭＦでピントを合わせることができない。また、特許文献３に記載の発明はレンズ交換が可能なデジタルカメラであり、装着されたレンズとカメラボディとの組み合わせによっては自動合焦制御（ＡＦ制御）ができないことがある。このような場合には、ＭＦでピントを合わせるしかない。【０００９】
電子ビューファインダや液晶モニタで被写体像を確認しながらＭＦでピントを合わせる場合には、光学ファインダから電子ビューファインダへの切り替え操作や、光学ファインダから目を離して液晶モニタを見ることが必要となり、操作が煩わしいという問題がある。【００１０】
本発明はこのような事情に鑑みてなされたもので、撮影光学系とファインダ光学系が別に配設されたカメラにおいて、光学ファインダならではの見やすさを確保しつつ、光学ファインダから目を離すことなくマニュアルフォーカスでの合焦動作を行うことができる撮影装置、撮影方法、記録媒体およびプログラムを提供することを目的とする。
【課題を解決するための手段】
【００１１】
前記目的を達成するために、本発明の一の態様に係る撮影装置は、フォーカスレンズを含む撮影光学系を通過した被写体光が結像された撮影画像を取得する撮影手段と、被写体の光学像を観察可能な光学ファインダと、操作部の操作に基づいてフォーカスレンズを移動させるマニュアルフォーカスモードに設定する設定手段と、撮影画像のエッジを強調または抽出した画像であるコントラスト画像を生成する画像生成手段と、マニュアルフォーカスモードに設定された場合に、コントラスト画像を表示する表示手段と、表示手段に表示された画像を、光学ファインダにおける被写体の光学像に重畳する画像重畳手段とを備える。【００１２】
本発明の一の態様に係る撮影装置によれば、操作部の操作に基づいてフォーカスレンズを移動させるマニュアルフォーカスモードに設定されると、撮影画像のエッジを強調または抽出した画像であるコントラスト画像が生成されて光学像に重ねて表示される。これにより、光学ファインダから目を離すことなく、ピントの合っている位置を確認することができる。【００１３】
本発明の他の態様に係る撮影装置は、撮影画像内の複数のエリアの各々について撮影画像の高周波成分の積算値を示すコントラスト評価値を算出するコントラスト評価値算出手段を更に備え、画像生成手段は、算出されたコントラスト評価値に応じてコントラスト画像のエッジ部の色および太さの少なくとも１つを変更してもよい。これにより、ピントの合っている位置をよりわかりやすくすることができる。【００１４】
本発明の一の態様に係る撮影装置は、フォーカスレンズを含む撮影光学系を通過した被写体光が結像された撮影画像を取得する撮影手段と、被写体の光学像を観察可能な光学ファインダと、操作部の操作に基づいてフォーカスレンズを移動させるマニュアルフォーカスモードに設定する設定手段と、撮影画像内の複数のエリアの各々について撮影画像の高周波成分の積算値を示すコントラスト評価値を算出するコントラスト評価値算出手段と、複数のエリアの各々において、コントラスト評価値の大きさを表した画像であるコントラスト画像を生成する画像生成手段と、マニュアルフォーカスモードに設定された場合に、コントラスト画像を表示する表示手段と、表示手段に表示された画像を、光学ファインダにおける被写体の光学像に重畳する画像重畳手段とを備える。【００１５】
本発明の一の態様に係る撮影装置によれば、操作部の操作に基づいてフォーカスレンズを移動させるマニュアルフォーカスモードに設定されると、コントラスト評価値の大きさを表した画像であるコントラスト画像が生成されて光学像に重ねて表示される。これにより、ピントがあっているか否かを数値で定量的に把握することができる。【００１６】
本発明の他の態様に係る撮影装置において、光学ファインダは、マニュアルフォーカスモードに設定された場合に、光学像の透過率を低下させる透過率変更手段を更に備えていてもよい。これにより、光学像に重畳表示されたコントラスト画像を見やすくすることができる。【００１７】
本発明の他の態様に係る撮影装置は、マニュアルフォーカスモードに設定された場合に、フォーカスレンズが移動されているか否かを判断する判断手段を更に備え、表示手段は、フォーカスレンズが移動されている間のみ、またはフォーカスレンズが移動されている間およびフォーカスレンズ停止後一定時間が経過するまでの間、コントラスト画像を表示してもよい。これにより、必要ない場合にはコントラスト画像を消去し、光学像を見やすくすることができる。【００１８】
本発明の他の態様に係る撮影装置は、撮影光学系と光学ファインダの光学系とが異なるものであり、フォーカスレンズの位置に基づいて光学像とコントラスト画像とのズレ量を取得する位置ズレ量取得手段を更に備え、電子ビューファインダは、取得された位置ズレ量に基づきコントラスト画像の位置を補正してコントラスト画像を表示してもよい。これにより、パララックスがある場合にもコントラスト画像と光学像とを一致させることができる。【００１９】
本発明の他の態様に係る撮影装置は、撮影画像内に領域を設定する領域設定手段を更に備え、画像生成手段は、領域設定手段により設定された領域内の画像を対象にしてコントラスト画像を生成してもよい。これにより、コントラスト画像を必要最小限にとどめ、光学像を見やすくすることができる。【００２０】
本発明の他の態様に係る撮影装置は、領域の位置および大きさの少なくとも１つを変更する領域変更手段を更に備えていてもよい。これにより、ユーザの要求に合った装置を提供できる。【００２１】
本発明の他の態様に係る撮影装置は、フォーカスレンズの位置に基づいて領域の大きさの変更量を決定する大きさ決定手段を更に備え、領域変更手段は、変更量に基づいて領域の大きさを変更してもよい。これにより、被写体距離により領域（コントラスト画像）の大きさが変わっても、光学像とコントラスト画像とを一致させることができる。【００２２】
本発明の他の態様に係る撮影方法は、フォーカスレンズを含む撮影光学系を通過した被写体光が結像された撮影画像を取得するステップと、操作部の操作に基づいてフォーカスレンズを移動させるマニュアルフォーカスモードに設定するステップと、撮影画像のエッジを強調または抽出した画像であるコントラスト画像を生成するステップと、マニュアルフォーカスモードに設定された場合に、コントラスト画像を光学ファインダにおける被写体の光学像に表示内容が重畳される表示手段に表示するステップとを備える。【００２３】
本発明の他の態様に係る撮影方法は、フォーカスレンズを含む撮影光学系を通過した被写体光が結像された撮影画像を取得するステップと、操作部の操作に基づいてフォーカスレンズを移動させるマニュアルフォーカスモードに設定するステップと、撮影画像内の複数のエリアの各々について撮影画像の高周波成分の積算値を示すコントラスト評価値を算出するステップと、撮影画像の複数のエリアの各々において、コントラスト評価値の大きさを表した画像であるコントラスト画像を生成するステップと、マニュアルフォーカスモードに設定された場合に、コントラスト画像を光学ファインダにおける被写体の光学像に表示内容が重畳される表示手段に表示するステップとを備える。【００２４】
本発明の他の態様に係るプログラムは、フォーカスレンズを含む撮影光学系を通過した被写体光が結像された撮影画像を取得するステップと、操作部の操作に基づいてフォーカスレンズを移動させるマニュアルフォーカスモードに設定するステップと、撮影画像のエッジを強調または抽出した画像であるコントラスト画像を生成するステップと、マニュアルフォーカスモードに設定された場合に、コントラスト画像を光学ファインダにおける被写体の光学像に表示内容が重畳される表示手段に表示するステップとを演算装置に実行させる。【００２５】
本発明の他の態様に係るプログラムは、フォーカスレンズを含む撮影光学系を通過した被写体光が結像された撮影画像を取得するステップと、操作部の操作に基づいてフォーカスレンズを移動させるマニュアルフォーカスモードに設定するステップと、撮影画像内の複数のエリアの各々について撮影画像の高周波成分の積算値を示すコントラスト評価値を算出するステップと、撮影画像の複数のエリアの各々において、コントラスト評価値の大きさを表した画像であるコントラスト画像を生成するステップと、マニュアルフォーカスモードに設定された場合に、コントラスト画像を光学ファインダにおける被写体の光学像に表示内容が重畳される表示手段に表示するステップとを演算装置に実行させる。
【発明の効果】
【００２６】
本発明によれば、撮影光学系とファインダ光学系が別に配設されたカメラにおいて、光学ファインダならではの見やすさを確保しつつ、光学ファインダから目を離すことなくマニュアルフォーカスでの合焦動作を行うことができる。
【図面の簡単な説明】
【００２７】
【図１】第１の実施形態に係るデジタルカメラのブロック図
【図２】第１の実施の形態におけるマニュアルフォーカスモードに設定されたときのファインダ表示処理の流れを示すフローチャート
【図３】ファインダの表示のイメージを示す図
【図４】第２の実施の形態におけるマニュアルフォーカスモードに設定されたときのファインダ表示処理の流れを示すフローチャート
【図５】ファインダの表示のイメージを示す図
【図６】第３の実施の形態におけるマニュアルフォーカスモードに設定されたときのファインダ表示処理の流れを示すフローチャート
【図７】第４の実施の形態におけるマニュアルフォーカスモードに設定されたときのファインダ表示処理の流れを示すフローチャート
【図８】第５の実施形態に係るデジタルカメラのブロック図
【図９】第５の実施の形態におけるマニュアルフォーカスモードに設定されたときのファインダ表示処理の流れを示すフローチャート
【図１０】第６の実施の形態におけるマニュアルフォーカスモードに設定されたときのファインダ表示処理の流れを示すフローチャート
【図１１】ファインダの表示のイメージを示す図
【発明を実施するための形態】
【００２８】
以下、添付図面に従って本発明に係る撮影装置、撮影方法、記録媒体およびプログラムを実施するための形態について詳細に説明する。
【００２９】
＜第１の実施の形態＞
［撮像装置の構成の説明］
図１は、第１の実施形態に係るデジタルカメラの内部構成を示すブロック図である。このデジタルカメラ１は、レンズを通った光を撮像素子で受け、デジタル信号に変換して記憶メディア１６に記録する。デジタルカメラ１の全体の動作は中央処理装置（ＣＰＵ）４１によって統括制御される。
【００３０】
図１に示すように、デジタルカメラ１は、電源１１、撮影光学系１２、撮像素子１３、ＡＦＥ（Analog Front End）１４、ＤＳＰ（Digital Signal Processor）１５、記録メディア１６、操作部１７、表示ドライバ１８、システムバス１９、ＳＤＲＡＭ（Synchronous Dynamic Random Access Memory）２０、フラッシュＲＯＭ（Read-Only Memory）２１、フラッシュ２７、表示部（例えば、ＬＣＤ（Liquid Crystal Display））２２、ファインダ５０を備えている。デジタルカメラ１は、撮影光学系１２を駆動するためのレンズドライバ２５と、光学ファインダ５１および電子ビューファインダ５２を駆動するためのドライバ（それぞれ２３、２４）を備えている。レンズドライバ２５、ドライバ２３および２４は、ＤＳＰ１５のシリアル入出力（Ｉ／Ｏ）端子と接続されている。
【００３１】
電源１１は、図示しないバッテリーおよび電源制御部を含み、デジタルカメラ１の各ブロックに電源供給を行う。電源供給された各ブロックはＤＳＰ１５に備えられたＣＰＵ４１に制御されて動作する。ＣＰＵ４１は、操作部１７からの入力に基づき所定の制御プログラムを実行し、デジタルカメラ１の各部を制御する。
【００３２】
操作部１７は、レリーズスイッチ、モードダイヤル、十字キー、再生ボタン、ＭＥＮＵ／ＯＫキー、ＢＡＣＫキー等を含んでいる。この操作部１７からの信号はＣＰＵ４１に入力され、ＣＰＵ４１は入力信号に基づいてデジタルカメラ１の各回路を制御し、例えば、レンズ駆動制御、絞り駆動制御、撮影動作制御、画像処理制御、画像データの記録／再生制御、立体表示が可能なＬＣＤ２２の表示制御などを行う。
【００３３】
レリーズスイッチは、撮影開始の指示を入力する操作ボタンであり、半押し時にＯＮするＳ１スイッチと、全押し時にＯＮするＳ２スイッチとを有する２段ストローク式のスイッチで構成されている。モードダイヤルは、２Ｄ撮影モード、３Ｄ撮影モード、オート撮影モード、マニュアル撮影モード、人物、風景、夜景等のシーンポジション、マクロモード、動画モード、視差優先撮影モードを選択する選択手段である。
【００３４】
再生ボタンは、撮影記録した立体視画像（３Ｄ画像）、平面画像（２Ｄ画像）の静止画または動画をＬＣＤ２２に表示させる再生モードに切り替えるためのボタンである。ＭＥＮＵ／ＯＫキーは、ＬＣＤ２２の画面上にメニューを表示させる指令を行うためのメニューボタンとしての機能と、選択内容の確定および実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生モード時の再生ズームスイッチとして機能する。左／右キーは再生モード時のコマ送り（順方向／逆方向送り）ボタンとして機能する。ＢＡＣＫキーは、選択項目など所望の対象の消去や指示内容の取消し、あるいは１つ前の操作状態に戻らせるときなどに使用される。
【００３５】
フラッシュＲＯＭ２１にはＣＰＵ４１が実行する制御プログラムと、制御に必要な各種パラメータや撮像素子（ＣＣＤ（Charge Coupled Device））１３の画素欠陥データ等が記録されている。ＣＰＵ４１は、このフラッシュＲＯＭ２１に記録された制御プログラムをＳＤＲＡＭ２０に読み出し、逐次実行することにより、デジタルカメラ１の各部を制御する。なお、このＳＤＲＡＭ２０は、プログラムの実行処理領域として利用される。また、ＳＤＲＡＭ２０は、画像データ等の一時記憶領域、各種作業領域として利用される。
【００３６】
撮影光学系１２は、ズームレンズ３１、フォーカスレンズ３２、アイリス３３、およびシャッタ３４を含んでいる。ズームレンズ３１、フォーカスレンズ３２、アイリス３３、およびシャッタ３４は、それぞれＣＰＵ４１の命令に基づいてレンズドライバ２５により駆動される。
【００３７】
ズームレンズ３１およびフォーカスレンズ３２は、同じ光軸上を前後移動し、ズームおよびフォーカスを行う。
【００３８】
アイリス３３は、ＣＣＤ１３へ入射する光量を制御し、シャッタスピードおよび露出の制御を行う。アイリス３３は、例えば、５枚の絞り羽根からなり、絞り値Ｆ１．４〜Ｆ１１まで１ＡＶ刻みで６段階に絞り制御される。
【００３９】
シャッタ３４は、ズームレンズ３１、フォーカスレンズ３２およびアイリス３３を介した被写体光を、所定の時間だけＣＣＤ１３へ入射させるように動作する。
【００４０】
ＣＣＤ１３は、シャッタ３４の後段に配置されており、撮影光学系１２を介して被写体光を受光する。ＣＣＤ１３は、周知のように多数の受光素子がマトリクス状に配列された受光面を備えている。撮影光学系１２を介した被写体光は、このＣＣＤ１３の受光面上に結像され、各受光素子によって電気信号に変換される。なお、撮像素子の種類は、ＣＣＤに限定されるものではない。撮像素子としては、ＣＭＯＳ（Complementary Metal Oxide Semiconductor）等の他のイメージセンサも適用可能である。
【００４１】
ＡＦＥ１４は、アナログ信号処理部３５、Ａ／Ｄ変換器３６およびタイミングジェネレータ（ＴＧ）３７を含んでいる。ＣＣＤ１３は、タイミングジェネレータ３７から供給される垂直転送クロックおよび水平転送クロックに同期して、各画素に蓄積された電荷を１ラインずつシリアルな画像信号として出力する。ＣＰＵ４１は、タイミングジェネレータ３７を制御して、ＣＣＤ１３の駆動を制御する。
【００４２】
なお、各画素の電荷蓄積時間（露出時間）は、タイミングジェネレータ３７から与えられる電子シャッタ駆動信号によって決められる。ＣＰＵ４１は、タイミングジェネレータ３７に対して電荷蓄積時間を指示する。
【００４３】
また、画像信号の出力は、デジタルカメラ１が撮影モードにセットされると開始される。すなわち、デジタルカメラ１が撮影モードにセットされると、ＬＣＤ２２にライブビュー画像（スルー画像）を表示するため、画像信号の出力が開始される。このスルー画像用の画像信号の出力は、本撮影の指示が行われると、一旦停止され、本撮影が終了すると、再度開始される。
【００４４】
ＣＣＤ１３から出力される画像信号は、アナログ信号であり、このアナログの画像信号は、アナログ信号処理部３５に取り込まれる。
【００４５】
アナログ信号処理部３５は、相関２重サンプリング回路（ＣＤＳ）、および自動ゲインコントロール回路（ＡＧＣ）を含んでいる。ＣＤＳは、画像信号に含まれるノイズの除去を行う。ＡＧＣは、ノイズ除去された画像信号を所定のゲインで増幅する。このアナログ信号処理部３５で所要の信号処理が施されたアナログの画像信号は、Ａ／Ｄ変換器３６に取り込まれる。
【００４６】
Ａ／Ｄ変換器３６は、取り込んだアナログの画像信号を所定ビットの階調幅を持ったデジタルの画像信号に変換する。この画像信号は、いわゆるＲＡＷデータであり、画素毎Ｒ（赤）、Ｇ（緑）、Ｂ（青）の濃度を示す階調値を有している。このデジタルの画像信号は、ＤＳＰ１５に取り込まれる。
【００４７】
ＤＳＰ１５は、前述したＣＰＵ４１、画像バッファ４２、ＹＣ処理部４３、ＡＥ・ＡＷＢ検出回路４４、ＡＦ検出回路４５、タイマー４６、圧縮伸張部４７、記録メディアインターフェース（Ｉ／Ｆ）４８、ビデオエンコーダ４９を備えている。これらはシステムバス１９と接続されており、システムバス１９を介して互いに情報を送受信することが可能である。
【００４８】
画像バッファ４２は、Ａ／Ｄ変換器３６から取り込んだ１コマ分の画像信号を格納する。
【００４９】
ＡＦ検出回路４５は、ＣＰＵ４１の指令に従い、画像バッファ４２に格納されたＲ、Ｇ、Ｂの画像信号を取り込み、ＡＦ（Automatic Focus）制御に必要な焦点評価値を算出する。このＡＦ検出回路４５は、Ｇ信号の高周波成分のみを通過させるハイパスフィルタ、絶対値化処理部、画面に設定された所定のフォーカス領域（以下、ＡＦエリアという）内の信号を切り出すＡＦエリア抽出部、および、ＡＦエリア内の絶対値データを積算する積算部を含んでいる。ＡＦ検出回路４５は、この積算部で積算されたＡＦエリア内の絶対値データを焦点評価値としてＣＰＵ４１に出力する。焦点評価値に基づくフォーカスレンズ群の制御方式としては、焦点評価値が極大となる位置をサーチし、その位置にフォーカスレンズ３２を移動させる方式や、フォーカスレンズ群を焦点評価値が増加する方向に移動させて、焦点評価値が減少し始める点を検出するとその位置にフォーカスレンズ群を設定する山登り方式を用いることができる。
【００５０】
ＡＥ・ＡＷＢ検出回路４４は、画像バッファ４２に格納されたＲ、Ｇ、Ｂの画像信号を取り込み、画面全体のＧ信号を積算し、または画面中央部と周辺部とで異なる重みづけをしたＧ信号を積算し、そのＡＥ制御に必要な積算値をＣＰＵ４１に出力する。ＣＰＵ４１は、積算値から輝度値を算出し、輝度値から露出値を求める。また露出値から所定のプログラム線図に従って、絞り値およびシャッタ速度を決定する。
【００５１】
また、ＡＥ・ＡＷＢ検出回路４４は、ＡＷＢ制御に必要な物理量として、１画面を複数のエリア（例えば、１６×１６）に分割し、分割したエリア毎にＲ、Ｇ、Ｂの画像信号の色別の平均積算値を算出する。ＣＰＵ４１は、得られたＲの積算値、Ｂの積算値、Ｇの積算値から分割エリア毎にＲ／ＧおよびＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、例えば各比の値がおよそ１（つまり、１画面においてＲＧＢの積算比率がＲ：Ｇ：Ｂ＝１：１：１）になるように、ホワイトバランス調整回路のＲ、Ｇ、Ｂ信号に対するゲイン値（ホワイトバランス補正値）を決定する。ＡＥ・ＡＷＢ検出回路４４は、画像バッファ４２に格納された１コマ分の画像信号に光源種に応じたデジタルゲインをかけることでホワイトバランス調整を行うとともに、ガンマ（階調特性）処理およびシャープネス処理を行う。
【００５２】
ＹＣ処理部４３は、点順次に取り込んだＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。このＹ／Ｃ信号は、ＳＤＲＡＭ２０に格納される。
【００５３】
圧縮伸張部４７は、ＣＰＵ４１からの圧縮指令に従い、入力されたＹ／Ｃ信号に所定形式（例えば、ＪＰＥＧ（Joint Photographic Experts Group））の圧縮処理を施し、圧縮画像データを生成する。また、ＣＰＵ４１からの伸張指令に従い、入力された圧縮画像データに所定形式の伸張処理を施して、非圧縮の画像データを生成する。
【００５４】
ビデオエンコーダ４９は、ＣＰＵ４１からの指令に従い、表示ドライバ１８を介してＬＣＤ２２への表示を制御する。
【００５５】
ＬＣＤ２２は、動画（スルー画像）を表示して電子ビューファインダとして使用できるとともに、撮影した記録前の画像（プレビュー画像）やデジタルカメラ１に装填された記録メディア１６から読み出した再生画像等を表示することができる。また、ＬＣＤ２２は、デジタルカメラ１の動作モードやホワイトバランス、画像のピクセル数、感度等をマニュアル設定する際の各種のメニュー画面をモードダイヤルやメニューボタンの操作に応じて表示させ、操作部１７の操作に応じてマニュアル設定項目の設定が可能なグラフィカル・ユーザ・インターフェース（ＧＵＩ）用の画面を表示する。
【００５６】
記録メディアインターフェース４８は、ＣＰＵ４１からの指令に従い、記録メディア１６に対してデータの読み／書きを制御する。なお、記録メディア１６は、メモリカードのようにカメラ本体に対して着脱自在なものでもよいし、また、カメラ本体に内蔵されたものでもよい。着脱自在とする場合は、デジタルカメラ１の本体にカードスロットを設け、このカードスロットに装填して使用する。
【００５７】
タイマー４６は、セルフタイマーモードにおけるタイマー時間の計測を行ったり、ファインダ表示処理（後に詳述）の繰り返し時間の計測を行ったりする。
【００５８】
ファインダ５０（ＨＶＦ）は、光学ファインダ５１と、電子ビューファインダ（ＥＶＦ）５２と、プリズム５３とを含んでいる。ユーザーは、１つの接眼部を介して光学ファインダ５１の光学像と電子ビューファインダ５２の電子像とを視認可能である。
【００５９】
光学ファインダ５１は、撮影光学系１２の変倍に伴って倍率が段階的に変更可能な変倍光学ファインダである。光学ファインダ５１は、対物レンズと、接眼レンズと、これらの間に設けられ、光学ファインダ５１の光路内に進退自在に配設された２枚の挿入レンズとを含むファインダ光学系を有する。ＣＰＵ４１の指示により挿入レンズが１枚光路内に挿入されると、光学ファインダ５１の倍率（以下、ファインダ倍率という）が１倍から２倍に変更される。さらに、挿入レンズがもう１枚光路内に挿入されると、ファインダ倍率が２倍から３倍に変更される。なお、光学ファインダ５１に含まれるレンズの構成および倍率制御の態様は上記に限定されるものではない。
【００６０】
電子ビューファインダ５２は、表示部（例えば、液晶パネル）を含んでいる。電子ビューファインダ５２の表示は、光学ファインダ５１の光路内に配設されたプリズム５３により光学ファインダ５１の接眼部に導かれる。
【００６１】
［撮像装置の動作の説明］
次に、デジタルカメラ１の動作について説明する。この撮像処理はＣＰＵ４１によって制御される。この撮像処理をＣＰＵ４１に実行させるためのプログラムは、例えば、ＣＰＵ４１内のプログラム格納部に記憶されている。
【００６２】
撮影光学系１２の各レンズ３１および３２を通過した被写体光は、アイリス３３を介してＣＣＤ１３の受光面に結像される。ＣＣＤ１３の各画素に蓄えられた信号電荷は、タイミングジェネレータ３７からの水平および垂直転送クロックに従って、信号電荷に応じた電圧信号（画像信号）として所定のフレームレートで順次読み出され、画像データが順次生成される。生成された画像データは順次ＳＤＲＡＭ２０に入力される。
【００６３】
ＣＰＵ４１は、画像データに基づいて、アイリス３３の開口量（Ｆ値）を変更する。また、ＣＰＵ４１は、操作部１７からの入力に応じて、レンズドライバ２５を介してズームレンズ３１を光軸に沿って移動させてズーミングを行う。
【００６４】
レリーズスイッチが半押しされると、Ｓ１ＯＮ信号がＣＰＵ４１に入力され、ＣＰＵ４１はＡＦ検出回路４５およびＡＥ・ＡＷＢ検出回路４４を介してＡＥ／ＡＦ／ＡＷＢ動作を実施する。
【００６５】
デジタルカメラ１は、操作部１７からの入力に基づき、ＡＦ動作を行わないマニュアルフォーカスモードに設定されることも可能である。マニュアルフォーカスモードにおいては、ユーザが操作部１７（フォーカスレンズ駆動キー等）を介してフォーカスレンズ３２の移動を指示することにより、フォーカスレンズ３２が移動される。したがって、マニュアルフォーカスモードにおいては、ユーザが合焦状態を確認することが望まれる。
【００６６】
図２は、マニュアルフォーカスモード（ＭＦモード）に設定されたときのファインダ表示処理の流れを示すフローチャートである。この処理は、主としてＣＰＵ４１によって行われる。
【００６７】
ＣＰＵ４１は、デジタルカメラ１がＭＦモードに設定されているか否かを判断する（ステップＳ１０）。ＭＦモードでない場合（ステップＳ１０でＮＯ）はこの処理を終了する。
【００６８】
ＭＦモードである場合（ステップＳ１０でＹＥＳ）には、周期的にファインダ表示を更新するために、ＣＰＵ４１は、タイマー４６を初期化および起動する（ステップＳ１２）。
【００６９】
また、ＣＰＵ４１は、画像データ内に設定されたＭＦ枠（図３の（ａ−１）部、（ｂ−１）部参照）を複数のエリアに分割し、ＡＦ検出回路４５に入力する。ＡＦ検出回路４５は、各エリア毎にコントラスト評価値を算出してＣＰＵ４１へ入力する（ステップＳ１４）。コントラスト評価値は、コントラストＡＦで使用する焦点評価値を求める方法と同様に、分割したエリアそれぞれに対してハイパスフィルタを通して、コントラストの強度を数値化することで算出することができる。ＭＦ枠は、所定の大きさに初期設定されているが、ユーザが操作部１７を介して大きさや位置を変更することができる。
【００７０】
ＣＰＵ４１は、画像データ内に設定されたＭＦ枠内の画像データに対して、どこが合焦しているかを示す画像（コントラスト画像）を生成する（ステップＳ１６）。具体的には、まず、ＣＰＵ４１は、画像データ内に設定されたＭＦ枠内の画像データにハイパスフィルタを適用して高周波成分のみを残すことで、コントラストの強い領域、すなわちエッジを強調した画像（エッジ画像）を生成する。そして、ＣＰＵ４１は、ステップＳ１４で各エリア毎に算出されたコントラスト評価値に基づいてエッジ画像の線の色や太さ、多さを変更する。
【００７１】
ピントがあっている場合には、コントラスト評価値が高くなる。したがって、ＣＰＵ４１は、エッジ画像のコントラスト評価値の高いエリアの線を太くし、コントラスト評価値が低くなるにつれて線を細くする。また、ＣＰＵ４１は、エッジ画像のコントラスト評価値の高いエリアの線を赤くし、エッジ画像のコントラスト評価値の低いエリアの線を青くする。なお、コントラスト評価値が中間の場合には、赤や青の色を薄くしても良いし、中間色を使用しても良い。
【００７２】
図３の（ａ−１）部に示すように奥の被写体にピントが合っている場合には、図３の（ａ−２）部に示すように、コントラスト画像では、奥の被写体の線が太く、青く表現され、手前の被写体の線が細く、赤く表現される。また、図３の（ｂ−１）部に示すように手前の被写体にピントが合っている場合には、図３の（ｂ−２）部に示すように、コントラスト画像は、手前の被写体の線が太く、青く表現され、奥の被写体の線が細く、赤く表現される。
【００７３】
ＣＰＵ４１は、ステップＳ１６で生成されたコントラスト画像を電子ビューファインダ５２に表示する。これにより、ファインダ５０の表示が、光学ファインダ５１の光学像にコントラスト画像が重畳表示された表示となる（ステップＳ１８）。図３の（ａ−３）部、（ｂ―３）部は、光学像にコントラスト画像が重畳表示されたときのファインダ５０の表示例である。コントラスト画像が重畳表示されることで、光学像のピントがあっている被写体は、線が太く青く見えるため、光学像を見ながらもピントの合っている位置を確認することができる。なお、図３の（ａ−３）部、（ｂ―３）部においては、電子ビューファインダ５２に、撮影画像を示す枠と、ピントが合っている被写体の距離を示す距離指標と、フォーカスの最適点およびフォーカスの状態を示すフォーカスインジケータとを表示しているが、距離指標およびフォーカスインジケータの表示は必須ではない。また、距離指標およびフォーカスインジケータは、撮影画像を示す枠の下に表示されているが、表示する位置はこれに限られない。
【００７４】
ＣＰＵ４１は、ステップＳ１２でタイマー４６が初期化および起動されてから所定時間（一定時間）が経過したか否かを判断する（ステップＳ２０）。所定時間が経過していない場合（ステップＳ２０でＮＯ）は再度ステップＳ２０を行い、所定時間が経過した場合（ステップＳ２０でＹＥＳ）には、ステップＳ１０へ戻る。ＭＦモードに設定されたときのファインダ表示処理（ステップＳ１０〜Ｓ２０）を繰り返し行う。
【００７５】
ＭＦモードに設定されたときのファインダ表示処理は、操作部１７によりＡＦ動作を行うオートフォーカスモードに設定された場合、レリーズスイッチが全押しされた場合には、終了される。
【００７６】
レリーズスイッチが全押しされると、ＣＰＵ４１にＳ２ＯＮ信号が入力され、ＣＰＵ４１は、撮影、記録処理を開始する。すなわち、測光結果に基づき決定されたシャッタ速度、絞り値でＣＣＤ１３を露光する。
【００７７】
ＣＣＤ１３から出力された画像データは、ＡＦＥ１４を介してＹＣ処理部４３に取り込まれて輝度／色差信号（Ｙ／Ｃ信号）が生成され、圧縮伸張部４７で所定の圧縮フォーマット（例えば、ＪＰＥＧ形式）に従って圧縮された後、ＳＤＲＡＭ２０に格納される。
【００７８】
ＳＤＲＡＭ２０に記憶された圧縮データからＪＰＥＧファイルが生成される。そのＪＰＥＧファイルは記録メディアインターフェース４８を介して記録メディア１６に記録される。これにより、画像が撮影、記録される。
【００７９】
以上のようにして記録メディア１６に記録された画像は、再生ボタンによりデジタルカメラ１の動作モードを再生モードに設定することにより、ＬＣＤ２２で再生表示させることができる。
【００８０】
再生モードに設定されると、ＣＰＵ４１は、記録メディアインターフェース４８にコマンドを出力し、記録メディア１６に最後に記録された画像ファイルを読み出させる。
【００８１】
読み出された画像ファイルの圧縮画像データは、圧縮伸張部４７に加えられ、非圧縮の輝度／色差信号に伸張されたのち、ビデオエンコーダ４９を介してＬＣＤ２２に出力される。
【００８２】
画像のコマ送りは、十字キーの左右のキー操作によって行われる。十字キーの右キーが押されると、次の画像ファイルが記録メディア１６から読み出され、ＬＣＤ２２に再生表示される。また、十字キーの左キーが押されると、１つ前の画像ファイルが記録メディア１６から読み出され、ＬＣＤ２２に再生表示される。
【００８３】
本実施の形態によれば、光学ファインダ表示上でピントの合っている位置を確認することが可能となる。したがって、光学ファインダから電子ビューファインダへの切り替え操作や、光学ファインダから目を離して液晶モニタを見るという煩わしさを低減することができる。また、光学ファインダの視野率を落とすことがなく、見やすさを確保することができる。
【００８４】
なお、本実施の形態では、撮影光学系１２が交換可能なデジタルカメラを例に説明したが、本発明はこれに限定されるものではない。本実施形態は、例えば、レンズ一体型のデジタルカメラにも適用可能である。
【００８５】
また、本実施の形態では、ＭＦ枠内の画像データに対してコントラスト画像を生成して光学像に重畳表示させたが、画像データの全画面に対してコントラスト画像を生成して光学像に重畳表示させてもよい。
【００８６】
また、本実施の形態では、ステップＳ１２でタイマー４６を初期化および起動し、ステップＳ２０でステップＳ１２から所定時間を経過したかを判断することで、周期的にファインダ表示を更新したが、周期的にファインダ表示を更新する方法はこれに限られない。例えば、タイマー４６を使用せずに、ＣＣＤ１６からの出カ画像を取得するタイミング（例えば、３０フレーム）でステップＳ１０、Ｓ１４〜Ｓ１８の処理を繰り返し行うようにしてもよい。
【００８７】
また、本実施の形態では、ステップＳ１６で高周波成分のみを残したエッジ画像を生成し、それに対してエッジ強調処理を行ってコントラスト画像を生成したが、エッジ強調処理は必須ではない。例えば、ピントの合っている領域のみのエッジを抽出したエッジ画像を生成してこれをコントラスト画像としてもよい。
【００８８】
＜第２の実施の形態＞
本発明の第１の実施の形態では、コントラスト画像を生成して光学像に重畳表示させる形態であるが、光学ファインダ表示上でピントの合っている位置を確認可能とする方法はこれに限られない。
【００８９】
本発明の第２の実施の形態は、コントラスト評価値を光学像に重畳表示させる形態である。以下、第２の実施の形態に係るデジタルカメラ１−１について説明する。なお、第１の実施の形態と同一の部分については説明を省略する。
【００９０】
図４は、マニュアルフォーカスモードに設定されたときのファインダ表示処理の流れを示すフローチャートである。この処理は、主としてＣＰＵ４１によって行われる。
【００９１】
ＣＰＵ４１は、デジタルカメラ１−１がＭＦモードに設定されているか否かを判断する（ステップＳ１０）。ＭＦモードでない場合（ステップＳ１０でＮＯ）はこの処理を終了する。
【００９２】
ＭＦモードである場合（ステップＳ１０でＹＥＳ）には、周期的にファインダ表示を更新するために、ＣＰＵ４１は、タイマー４６を初期化および起動する（ステップＳ１２）。
【００９３】
ＣＰＵ４１は、画像データ内に設定されたＭＦ枠を複数のエリアに分割し、ＡＦ検出回路４５に入力する。ＡＦ検出回路４５は、各エリア毎にコントラスト評価値を算出してＣＰＵ４１へ入力する（ステップＳ１４）。図５に示すように、本実施の形態ではＭＦ枠を１６個に分割する。
【００９４】
ＣＰＵ４１は、各エリア毎に算出されたコントラスト評価値が、そのコントラスト評価値が算出されたエリアに対応する位置に配置された画像をコントラスト画像として生成する（ステップＳ２２）。
【００９５】
図５の（ａ−１）部に示すように奥の被写体（ＭＦ枠の両端に位置する被写体）にピントが合っている場合には、図５の（ａ−２）部に示すように、ＭＦ枠の両端のエリアに相当する位置に表示される数値が大きい値となり、かつ青い字で表示される。また、ＭＦ枠の中央のエリア（ピントが合っていない被写体）に相当する位置に表示される数値が小さい値となり、かつ赤い字で表示される。また、図５の（ｂ−１）部に示すように手前の被写体（ＭＦ枠の中央に位置する被写体）にピントが合っている場合には、図５の（ｂ−２）部に示すように、ＭＦ枠の中央のエリアに相当する位置に表示される数値が大きい値となり、かつ青い字で表示される。また、ＭＦ枠の両端のエリア（ピントが合っていない被写体）に相当する位置に表示される数値が小さい値となり、かつ赤い字で表示される。
【００９６】
ＣＰＵ４１は、ステップＳ２２で生成されたコントラスト画像を電子ビューファインダ５２に表示する。これにより、ファインダ５０の表示が、光学ファインダ５１の光学像にコントラスト画像が重畳表示された表示となる（ステップＳ２２）。図５の（ａ−３）部、（ｂ―３）部は、光学像にコントラスト画像が重畳表示されたときのファインダ５０の表示例である。コントラスト画像が重畳表示されることで、光学像のピントがあっている被写体には大きい数字かつ青い数字が重ねて表示される。このため、ユーザーは、光学像を見ながらピントの合っている位置を確認することができる。
【００９７】
ＣＰＵ４１は、ステップＳ１２でタイマー４６が初期化および起動されてから所定時間が経過したか否かを判断する（ステップＳ２０）。所定時間が経過していない場合（ステップＳ２０でＮＯ）は再度ステップＳ２０を行う。所定時間が経過した場合（ステップＳ２０でＹＥＳ）には、ステップＳ１０へ戻り、ＭＦモードに設定されたときのファインダ表示処理（ステップＳ１０〜Ｓ２０）を繰り返し行う。
【００９８】
本実施の形態によれば、光学ファインダ表示上でピントの合っている位置を確認することが可能となる。したがって、光学ファインダから電子ビューファインダへの切り替え操作や、光学ファインダから目を離して液晶モニタを見るという煩わしさを低減することができる。また、光学ファインダの視野率を落とすことがなく、見やすさを確保することができる。
【００９９】
＜第３の実施の形態＞
本発明の第１の実施の形態では、マニュアルフォーカスモードのときには常に光学像にコントラスト画像を重畳表示したが、コントラスト画像を常に重畳表示する必要はない。
【０１００】
本発明の第３の実施の形態は、フォーカスレンズ３２が移動されている場合のみ光学像にコントラスト画像を重畳表示する形態である。以下、第３の実施の形態に係るデジタルカメラ１−２について説明する。なお、第１、第２の実施の形態と同一の部分については説明を省略する。
【０１０１】
図６は、マニュアルフォーカスモードに設定されたときのファインダ表示処理の流れを示すフローチャートである。この処理は、主としてＣＰＵ４１によって行われる。
【０１０２】
ＣＰＵ４１は、デジタルカメラ１−２がＭＦモードに設定されているか否かを判断する（ステップＳ１０）。ＭＦモードでない場合（ステップＳ１０でＮＯ）はこの処理を終了する。
【０１０３】
ＭＦモードである場合（ステップＳ１０でＹＥＳ）には、周期的にファインダ表示を更新するために、ＣＰＵ４１は、操作部１７を介してフォーカスレンズ３２の移動が指示されたか否か、すなわちフォーカスレンズ３２が移動しているか否かを判断する（ステップＳ３０）。
【０１０４】
フォーカスレンズ３２が移動していない場合（ステップＳ３０でＮＯ）には、再度ステップＳ３０を行う。
【０１０５】
フォーカスレンズ３２が移動している場合（ステップＳ３０でＹＥＳ）には、ＣＰＵ４１は、画像データ内に設定されたＭＦ枠を複数のエリアに分割し、ＡＦ検出回路４５に入力する。ＡＦ検出回路４５は、各エリア毎にコントラスト評価値を算出してＣＰＵ４１へ入力する（ステップＳ１４）。
【０１０６】
ＣＰＵ４１は、画像データ内に設定されたＭＦ枠内の画像データに対してハイパスフィルタを適用してエッジ画像を生成し、ステップＳ１４で各エリア毎に算出されたコントラスト評価値に基づいてエッジ画像の線の色や太さを変更してコントラスト画像を生成する（ステップＳ１６）。
【０１０７】
ＣＰＵ４１は、ステップＳ１６で生成されたコントラスト画像を電子ビューファインダ５２に表示する。これにより、ファインダ５０の表示が、光学ファインダ５１の光学像にコントラスト画像が重畳表示された表示となる（ステップＳ１８）。
【０１０８】
ＣＰＵ４１は、フォーカスレンズ３２が駆動中であるか否か、すなわちステップＳ３０でＹＥＳだった場合のフォーカスレンズ３２の移動が継続しているか否かを判断する（ステップＳ３２）。フォーカスレンズ３２が駆動中である場合（ステップＳ３２でＹＥＳ）には、再度ステップＳ３２を繰り返す。すなわち、フォーカスレンズ３２が駆動中である場合には、ステップＳ１８で行われたファインダ５０の重畳表示が継続される。
【０１０９】
フォーカスレンズ３２が駆動中でない場合、すなわちフォーカスレンズ３２の駆動が終了した場合（ステップＳ３２でＮＯ）には、電子ビューファインダ５２のコントラスト画像の表示を削除する（ステップＳ３４）。その結果、ファインダ５０の表示は光学ファインダ５１の光学像のみとなる。したがって、マニュアルフォーカスモードにおいて、ピントを調整している場合のみコントラスト画像が光学像に重畳表示される。
【０１１０】
本実施の形態によれば、実際にピントを調整していない場合には不要な合焦情報を削除することで、光学ファインダの視認性を向上させることができる。
【０１１１】
＜第４の実施の形態＞
本発明の第３の実施の形態では、フォーカスレンズが駆動されている間だけコントラスト画像を光学像に重畳表示させる。本実施形態は、フォーカスレンズ駆動後にピントの合っている位置を確認したいという要求に対応するためのものである。
【０１１２】
本発明の第４の実施の形態は、フォーカスレンズ駆動後一定時間が経過するまでコントラスト画像を光学像に重畳表示させる形態である。以下、第４の実施の形態に係るデジタルカメラ１−３について説明する。なお、第１〜第３の実施の形態と同一の部分については説明を省略する。
【０１１３】
図７は、マニュアルフォーカスモードに設定されたときのファインダ表示処理の流れを示すフローチャートである。この処理は、主としてＣＰＵ４１によって行われる。
【０１１４】
ＣＰＵ４１は、デジタルカメラ１−３がＭＦモードに設定されているか否かを判断する（ステップＳ１０）。ＭＦモードでない場合（ステップＳ１０でＮＯ）はこの処理を終了する。
【０１１５】
ＭＦモードである場合（ステップＳ１０でＹＥＳ）には、周期的にファインダ表示を更新するために、ＣＰＵ４１は、操作部１７を介してフォーカスレンズ３２の移動が指示されたか否かを判断する（ステップＳ３０）。
【０１１６】
フォーカスレンズ３２が移動されていない場合（ステップＳ３０でＮＯ）には、再度ステップＳ３０を行う。
【０１１７】
フォーカスレンズ３２が移動された場合（ステップＳ３０でＹＥＳ）には、ＣＰＵ４１は、画像データ内に設定されたＭＦ枠を複数のエリアに分割し、ＡＦ検出回路４５に入力する。ＡＦ検出回路４５は、各エリア毎にコントラスト評価値を算出してＣＰＵ４１へ入力する（ステップＳ１４）。
【０１１８】
ＣＰＵ４１は、画像データ内に設定されたＭＦ枠内の画像データに対してハイパスフィルタを適用してエッジ画像を生成し、ステップＳ１４で各エリア毎に算出されたコントラスト評価値に基づいてエッジ画像の線の色や太さを変更してコントラスト画像を生成する（ステップＳ１６）。
【０１１９】
ＣＰＵ４１は、ステップＳ１６で生成されたコントラスト画像を電子ビューファインダ５２に表示する。これにより、ファインダ５０の表示が、光学ファインダ５１の光学像にコントラスト画像が重畳表示された表示となる（ステップＳ１８）。
【０１２０】
ＣＰＵ４１は、フォーカスレンズ３２が駆動中であるか否かを判断する（ステップＳ３２）。フォーカスレンズ３２が駆動中である場合（ステップＳ３２でＹＥＳ）には、再度ステップＳ３２を繰り返す。すなわち、フォーカスレンズ３２が駆動中である場合には、ステップＳ１８で行われたファインダ５０の重畳表示が継続される。
【０１２１】
フォーカスレンズ３２が駆動中でない場合、すなわちフォーカスレンズ３２の駆動が終了した場合（ステップＳ３２でＮＯ）には、ＣＰＵ４１は、タイマー４６を起動して時間計測を開始する（ステップＳ４０）。ＣＰＵ４１は、ステップＳ４０でタイマー４６起動後、一定時間が経過したか否かを判断する（ステップＳ４２）。一定時間経過していない場合（ステップＳ４２でＮＯ）は、一定時間が経過するまでステップＳ４２を繰り返す。
【０１２２】
一定時間経過した場合（ステップＳ４２でＹＥＳ）には、ＣＰＵ４１は、電子ビューファインダ５２のコントラスト画像の表示を削除する（ステップＳ３４）。その結果、ファインダ５０の表示は光学ファインダ５１の光学像のみとなる。すなわち、フォーカスレンズ３２が移動されている間と、フォーカスレンズ３２が停止後一定時間が経過するまでの間、コントラスト画像が光学ファインダ５１の光学像に重ねて表示される。
【０１２３】
本実施の形態によれば、マニュアルフォーカスモードにおいてピントを調整しているときのみ合焦情報を光学像に重ねて表示し、合焦情報が不要な場合には削除する。このため、光学ファインダの視認性を向上させることができる。また、ピント調整後も一定時間合焦情報を表示するため、目的の被写体にピントが合っているかどうかをユーザーが確認することができる。
【０１２４】
＜第５の実施の形態＞
本発明の第１の実施の形態は、光学ファインダの光学像にコントラスト画像を重畳表示する形態であるが、光学像の明るさによってはコントラスト画像が見づらい場合も考えられる。
【０１２５】
本発明の第５の実施の形態は、光学像の明るさに応じて光学像の透過率を変える形態である。以下、第５の実施の形態に係るデジタルカメラ１−４について説明する。なお、第１〜第４の実施の形態と同一の部分については説明を省略する。
【０１２６】
図８は、第５の実施形態に係るデジタルカメラの内部構成を示すブロック図である。このデジタルカメラ１−４は、レンズを通った光を撮像素子で受け、デジタル信号に変換して記憶メディア１６に記録する。デジタルカメラ１−４全体の動作は中央処理装置（ＣＰＵ）４１によって統括制御される。
【０１２７】
図８に示すように、デジタルカメラ１−４は、電源１１、撮影光学系１２、撮像素子１３、ＡＦＥ１４、ＤＳＰ１５、記録メディア１６、操作部１７、表示ドライバ１８、システムバス１９、ＳＤＲＡＭ２０、フラッシュＲＯＭ２１、フラッシュ２７、ＬＣＤ２２、ファインダ５０−１を備えている。デジタルカメラ１−４は、撮影光学系１２、光学ファインダ５１、電子ビューファインダ５２、ＮＤフィルタ５４を駆動するためのレンズドライバ２５、ドライバ２３、２４、２６を備えている。レンズドライバ２５、ドライバ２３、２４、２６は、ＤＳＰ１５のシリアルＩ／Ｏ端子と接続される。
【０１２８】
ファインダ５０−１は、光学ファインダ５１と、電子ビューファインダ５２と、プリズム５３と、減光フィルタ（ＮＤフィルタ）５４とを含んでいる。ユーザーは、１つの接眼部を介して光学ファインダ５１の光学像と電子ビューファインダ５２の電子像とを視認可能である。
【０１２９】
ＮＤフィルタ５４は、光学ファインダ５１の接眼レンズに入射される光の量を減少させるフィルタであり、光学ファインダ５１の光路内のプリズム５３より対物レンズ側に進退自在に配設される。ＮＤフィルタ５４は、ＣＰＵ４１の指示によりドライバ２６を介して駆動されることで光路内に出し入れされる。ＮＤフィルタ５４が光路内に入れられると、電子ビューファインダ５２の光量は変わらず、光学像の光量だけが減る。その結果、ファインダ５０−１における光学ファインダ５１の透過率が減少する。
【０１３０】
図９は、マニュアルフォーカスモードに設定されたときのファインダ表示処理の流れを示すフローチャートである。この処理は、主としてＣＰＵ４１によって行われる。
【０１３１】
ＣＰＵ４１は、デジタルカメラ１−４がＭＦモードに設定されているか否かを判断する（ステップＳ１０）。ＭＦモードでない場合（ステップＳ１０でＮＯ）はこの処理を終了する。
【０１３２】
ＭＦモードである場合（ステップＳ１０でＹＥＳ）には、周期的にファインダ表示を更新するために、ＣＰＵ４１は、操作部１７を介してフォーカスレンズ３２の移動が指示されたか否かを判断する（ステップＳ３０）。
【０１３３】
フォーカスレンズ３２が移動されていない場合（ステップＳ３０でＮＯ）には、再度ステップＳ３０を行う。
【０１３４】
フォーカスレンズ３２が移動された場合（ステップＳ３０でＹＥＳ）には、ＣＰＵ４１は、画像データ内に設定されたＭＦ枠を複数のエリアに分割し、ＡＦ検出回路４５に入力する。ＡＦ検出回路４５は、各エリア毎にコントラスト評価値を算出してＣＰＵ４１へ入力する（ステップＳ１４）。
【０１３５】
ＣＰＵ４１は、画像データ内に設定されたＭＦ枠内の画像データに対してハイパスフィルタを適用してエッジ画像を生成し、ステップＳ１４で各エリア毎に算出されたコントラスト評価値に基づいてエッジ画像の線の色や太さを変更してコントラスト画像を生成する（ステップＳ１６）。
【０１３６】
ＣＰＵ４１は、被写体の明るさが一定以上であるか否かを判断する（ステップＳ５０）。被写体の明るさの検出には、ＡＥ・ＡＷＢ検出回路４４で算出される積算値を用いることができる。
【０１３７】
被写体の明るさが一定以上である場合（ステップＳ５０でＹＥＳ）には、ＣＰＵ４１は、ドライバ２６を介してＮＤフィルタ５４を光学ファインダ５１の光路内に挿入して、光学ファインダ５１の透過率を下げる（ステップＳ５２）。
【０１３８】
被写体の明るさが一定以上でない場合（ステップＳ５０でＮＯ）、および光学ファインダ５１の透過率を下げられた場合（ステップＳ５２）は、ＣＰＵ４１は、ステップＳ１６で生成されたコントラスト画像を電子ビューファインダ５２に表示する。これにより、ファインダ５０−１の表示が、光学ファインダ５１の光学像にコントラスト画像が重畳表示された表示となる（ステップＳ１８）。
【０１３９】
ＣＰＵ４１は、フォーカスレンズ３２が駆動中であるか否かを判断する（ステップＳ３２）。フォーカスレンズ３２が駆動中である場合には、再度ステップＳ３２を繰り返す。すなわち、フォーカスレンズ３２が駆動中である場合には、ステップＳ１８で行われたファインダ５０−１の重畳表示が継続される。
【０１４０】
フォーカスレンズ３２が駆動中でない場合、すなわちフォーカスレンズ３２の駆動が終了した場合（ステップＳ３２でＮＯ）には、ＣＰＵ４１は、ステップＳ５２で光学ファインダ５１の透過率が下げられたかを判断する（ステップＳ５４）。光学ファインダ５１の透過率が下げられた場合（ステップＳ５４でＹＥＳ）は、ＣＰＵ４１は、ドライバ２６を介してＮＤフィルタ５４を光学ファインダ５１光路から外に出して、光学ファインダ５１の透過率を元に戻す（ステップＳ５６）。
【０１４１】
光学ファインダ５１の透過率が下げられていない場合（ステップＳ５４でＮＯ）、および光学ファインダ５１の透過率が元に戻された場合（ステップＳ５６）は、ＣＰＵ４１は、電子ビューファインダ５２のコントラスト画像の表示を削除する（ステップＳ３４）。その結果、ファインダ５０−１の表示は光学ファインダ５１の光学像のみとなる。
【０１４２】
本実施の形態によれば、光学ファインダの光学像が明るいために、電子ビューファインダに表示された合焦表示が見づらくなることを防止することができる。したがって、合焦情報の視認性を向上させ、マニュアルフォーカスにおけるピント合わせを行いやすくすることができる。
【０１４３】
なお、本実施の形態では、ＮＤフィルタ５４を光学ファインダ５１の光路内に入れることでファインダ５０−１における光学ファインダ５１の透過率を変更したが、透過率を変更する方法はこの方法に限定されるものではない。
【０１４４】
また、本実施の形態では、被写体が明るいときにＮＤフィルタ５４を光学ファインダ５１の光路内に入れることでファインダ５０−１における光学ファインダ５１の透過率を変更したが、コントラスト画像を表示するときには常に光学ファインダ５１の透過率を変更するようにしても良い。
【０１４５】
＜第６の実施の形態＞
本発明の第１の実施の形態は、光学ファインダの光学像にコントラスト画像を重畳表示させたが、フォーカス位置によってはパララックスが発生し、光学像とコントラスト画像がずれてしまう可能性がある。
【０１４６】
本発明の第６の実施の形態は、フォーカス位置に応じてパララックスを補正する形態である。以下、第６の実施の形態に係るデジタルカメラ１−５について説明する。なお、第１〜第５の実施の形態と同一の部分については説明を省略する。
【０１４７】
図１０は、マニュアルフォーカスモードに設定されたときのファインダ表示処理の流れを示すフローチャートである。この処理は、主としてＣＰＵ４１によって行われる。
【０１４８】
ＣＰＵ４１は、デジタルカメラ１−５がＭＦモードに設定されているか否かを判断する（ステップＳ１０）。ＭＦモードでない場合（ステップＳ１０でＮＯ）はこの処理を終了する。
【０１４９】
ＭＦモードである場合（ステップＳ１０でＹＥＳ）には、周期的にファインダ表示を更新するために、ＣＰＵ４１は、タイマー４６を初期化および起動する（ステップＳ１２）。
【０１５０】
また、ＣＰＵ４１は、画像データ内に設定されたＭＦ枠を複数のエリアに分割し、ＡＦ検出回路４５に入力する。ＡＦ検出回路４５は、各エリア毎にコントラスト評価値を算出してＣＰＵ４１へ入力する（ステップＳ１４）。また、ＣＰＵ４１は、画像データ内に設定されたＭＦ枠内の画像データに対して、どこが合焦しているかを示す画像（コントラスト画像）を生成する（ステップＳ１６）。
【０１５１】
ＣＰＵ４１は、ステップＳ１４で各エリア毎にコントラスト評価値を算出した結果に基づいてフォーカス位置を求め、フォーカス位置に基づいてパララックスが発生するか否かを判断する（ステップＳ６０）。フォーカス位置、すなわち合焦している被写体までの距離が所定の距離（例えば、２ｍ）以上の場合にはパララックスはほとんど発生しない。一方、フォーカス位置が所定の距離（例えば、２ｍ）より近い場合にはパララックスが発生し、同じ被写体であっても光学ファインダ５１の光学像における位置と電子ビューファインダ５２における位置とでずれが発生する。フォーカス位置とパララックスの大きさ（ＭＦ枠の移動量）との関係およびフォーカス位置とＭＦ枠の大きさとの関係がフラッシュＲＯＭ２１に記憶されている。ＣＰＵ４１は、フォーカス位置とパララックスの大きさとの関係およびフォーカス位置とＭＦ枠の大きさとの関係を参照し、求められたフォーカス位置でパララックスが発生するか否かおよびＭＦ枠の大きさを変更する必要があるか否かを判断する。
【０１５２】
パララックスが発生していない場合（ステップＳ６０でＮＯ）には、ＣＰＵ４１は、ステップＳ１６で生成されたコントラスト画像を電子ビューファインダ５２に表示する。これにより、ファインダ５０の表示が、光学ファインダ５１の光学像にコントラスト画像が重畳表示された表示となる（ステップＳ１８）。図１１の（ａ−１）部は、フォーカス位置が遠くパララックスが発生しない場合である。したがって、図１１の（ａ−３）部に示すように、図１１の（ａ−２）部に示すようにして生成されたコントラスト画像を電子ビューファインダ５２に表示することで、同一被写体に対する光学ファインダ５１の光学像の被写体の位置とコントラスト画像の位置が一致するように、コントラスト画像が光学像に重畳表示される。
【０１５３】
パララックスが発生している場合（ステップＳ６０でＹＥＳ）には、ＣＰＵ４１は、フォーカス位置とパララックスの大きさとの関係に基づいてパララックス補正量を算出する（ステップＳ６２）。なお、パララックス補正量は、大きさと方向を含む概念である。また、ＣＰＵ４１は、フォーカス位置とＭＦ枠の大きさとの関係に基づいてＭＦ枠の大きさ、すなわちコントラスト画像の大きさの変更量を算出する（ステップＳ６２）。
【０１５４】
ＣＰＵ４１は、ステップＳ１６で生成されたコントラスト画像を、ステップＳ６２で変更された大きさで、かつステップＳ６２で算出されたパララックス補正量だけ移動して電子ビューファインダ５２に表示する（ステップＳ６４）。
【０１５５】
図１１の（ｂ−１）部は、フォーカス位置が近い場合であり、この場合にはパララックスが発生し、ＭＦ枠の大きさも通常とは異なる。したがって、図１１の（ｂ−３）部に示すように、図１１の（ｂ−２）部に示すようにして生成されたコントラスト画像の大きさを変更し、かつ右下に算出された量だけずらして電子ビューファインダ５２に表示することで、光学ファインダ５１の光学像の位置とコントラスト画像の位置が一致する。なお、図１１の（ｂ−３）部においてはコントラスト画像を右下に移動させたが、補正量や補正方向はこれに限られない。光学ファインダ５１の位置や撮影光学系１２の焦点距離によってパララックス補正量および補正方向が変更される。
【０１５６】
ＣＰＵ４１は、ステップＳ１２でタイマー４６が初期化および起動されてから所定時間が経過したか否かを判断する（ステップＳ２０）。所定時間が経過していない場合（ステップＳ２０でＮＯ）は再度ステップＳ２０を行う。一方、所定時間が経過した場合（ステップＳ２０でＹＥＳ）には、ステップＳ１０へ戻り、ＭＦモードに設定されたときのファインダ表示処理（ステップＳ１０〜Ｓ２０）を繰り返し行う。
【０１５７】
本実施の形態によれば、パララックスが存在する場合にも、合焦情報の重畳表示の視認性を向上させることができる。
【０１５８】
なお、本実施の形態では、フォーカス位置に基づいてパララックスの有無を判断したが、ズームレンズ３１の位置、すなわち撮影光学系１２焦点距離によってはパララックスが発生する場合がある。したがって、焦点距離とパララックス補正量との関係および焦点距離とＭＦ枠の大きさとの関係をさらに保持し、ズームレンズ３１の位置を取得し、これらに基づいてパララックス補正量やＭＦ枠の大きさを算出するようにしてもよい。
【０１５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。そのような変更または改良を加えた形態も本発明の技術的範囲に含まれ得ることが、特許請求の範囲の記載から明らかである。
【０１６０】
本発明は、デバイス（例えば、電子カメラ）に上記の処理を行わせるためのコンピューター読取可能なプログラムコード、該プログラムコードが格納される非一次的（non-transitory）かつコンピューター読取可能な記録媒体（例えば、光ディスク（例えば、ＣＤ（Compact Disc）、ＤＶＤ（Digital Versatile Disc）、ＢＤ（Blu-ray Disc））、磁気ディスク（例えば、ハードディスク、光磁気ディスク））、および該方法のための実行可能なコードを格納するコンピューター・プログラム・プロダクトとして提供することができる。
【０１６１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１６２】
１、１−１、１−２、１−３、１−４…デジタルカメラ、１２…撮影光学系、１３…ＣＣＤ、１４…ＡＦＥ、１５…ＤＳＰ、３１…ズームレンズ、３２…フォーカスレンズ、３３…アイリス、３４…シャッタ、４１…ＣＰＵ、４４…ＡＥ・ＡＷＢ検出回路、４５…ＡＦ検出回路、５０、５０−１…ファインダ、５１…光学ファインダ、５２…電子ビューファインダ
【図１】
0005546692.tif 000002
【図２】
0005546692.tif 000003
【図３】
0005546692.tif 000004
【図４】
0005546692.tif 000005
【図５】
0005546692.tif 000006
【図６】
0005546692.tif 000007
【図７】
0005546692.tif 000008
【図８】
0005546692.tif 000009
【図９】
0005546692.tif 000010
【図１０】
0005546692.tif 000011
【図１１】
0005546692.tif 000012